(57)【要約】【課題】プリント基板からのコモンモードの電磁放射を抑制するための設計機能を備えたプリント基板の設計支援装置を提供する。【解決手段】情報処理装置を使用したプリント基板の設計支援装置において、プリント基板上に電子部品を仮配置する手段と、仮配置した電子部品間を最短経路の配線で接続する手段と、接続した配線の、グランドプレーンの長辺方向の配線長を最小にするように、仮配置した前記電子部品を再配置する手段とを設ける。【選択図】図２
2006313555.tif 000002
【特許請求の範囲】
【請求項１】
情報処理装置を使用したプリント基板の設計支援装置において、
プリント基板上に電子部品を仮配置する手段と、
仮配置した電子部品間を最短経路の配線で接続する手段と、
接続した配線の、グランドプレーンの長辺方向の配線長を最小にするように、仮配置した前記電子部品を再配置する手段と
を備えたことを特徴とするプリント基板の設計支援装置。
【請求項２】
情報処理装置を使用したプリント基板の設計支援装置において、
プリント基板上に電子部品を仮配置する手段と、
仮配置した電子部品間を最短経路の配線で接続する手段と、
接続した配線の、グランドプレーンの長辺方向の配線長が所定の基準値以下となるように、仮配置した前記電子部品を再配置する手段と
を備えたことを特徴とするプリント基板の設計支援装置。
【請求項３】
情報処理装置を使用したプリント基板の設計支援装置におけるプリント基板の設計支援方法において、
前記情報処理装置が、プリント基板上に電子部品を仮配置する工程と、
前記情報処理装置が、仮配置した電子部品間を最短経路の配線で接続する工程と、
前記情報処理装置が、接続した配線の、グランドプレーンの長辺方向の配線長を最小にするように、仮配置した前記電子部品を再配置する工程と
を含むことを特徴とするプリント基板の設計支援方法。
【請求項４】
情報処理装置を使用したプリント基板の設計支援装置におけるプリント基板の設計支援方法において、
前記情報処理装置が、プリント基板上に電子部品を仮配置する工程と、
前記情報処理装置が、仮配置した電子部品間を最短経路の配線で接続する工程と、
前記情報処理装置が、接続した配線の、グランドプレーンの長辺方向の配線長が所定の基準値以下となるように、仮配置した前記電子部品を再配置する工程と
を含むことを特徴とするプリント基板の設計支援方法。
【請求項５】
情報処理装置を使用したプリント基板の設計支援装置で使用されるプログラムを記録したコンピュータ読み取り可能な記録媒体において、
プリント基板上に電子部品を仮配置する工程のコードと、
仮配置した電子部品間を最短経路の配線で接続する工程のコードと、
接続した配線の、グランドプレーンの長辺方向の配線長を最小にするように、仮配置した前記電子部品を再配置する工程のコードと
を記録したことを特徴とする記録媒体。
【請求項６】
情報処理装置を使用したプリント基板の設計支援装置で使用されるプログラムを記録したコンピュータ読み取り可能な記録媒体において、
プリント基板上に電子部品を仮配置する工程のコードと、
仮配置した電子部品間を最短経路の配線で接続する工程のコードと、
接続した配線の、グランドプレーンの長辺方向の配線長が所定の基準値以下となるように、仮配置した前記電子部品を再配置する工程のコードと
を記録したことを特徴とする記録媒体。
【発明の詳細な説明】
【技術分野】
【０００１】
本発明は、情報処理装置を使用したプリント基板の設計支援装置、設計支援方法および設計支援装置で使用されるプログラムを記録した記録媒体に関し、特に不要な電磁放射を抑制したプリント基板の設計支援装置、設計支援方法および設計支援装置で使用されるプログラムを記録した記録媒体に関する。
【背景技術】
【０００２】
電子機器から放射される不要な電磁波（以下ＥＭＩ（Ｅｌｅｃｔｒｏｍａｇｎｅｔｉｃ  Ｉｎｔｅｒｆｅｒｅｎｃｅ）という）が公共の放送や通信に障害を与えないようにするため、電子機器から放射されるＥＭＩについて各国で規制が行われている。例えば、ＣＩＳＰＲなどの国際規格がその代表的なものであり、規制の対象となる周波数範囲は現状、３０ＭＨｚ〜１ＧＨｚである。このため、製造メーカはその製品のＥＭＩをその規制値以下に抑えなければ製品を出荷することができない。しかし規格に基づくＥＭＩ測定は、実際に製品が完成しないと行えないため、出荷間近のＥＭＩ測定で規格を満たしていないと判明した場合は、急きょ、部品を追加したり再設計などの対策を講じていた。このため、製品の出荷遅れやコストアップを生じることがあった。
【０００３】
そこで、この問題を解決するための方法として、ＥＭＩを抑えた製品を設計するための装置が考え出された。すなわち、電子機器でのＥＭＩを発生する主要因がその中のプリント基板であるため、プリント基板の設計支援装置にＥＭＩを抑制する設計機能を設けたものである。例えば、特開平１０−４９５６８号公報「回路基板設計方法および記録媒体」や特開平１０−９１６６３号公報「プリント基板ＣＡＤ装置」などがこれに相当する。
【０００４】
図２７は特開平１０−４９５６８号公報「回路基板設計方法および記録媒体」に記載されている、プリント基板のレイアウト方法の概略を示すフローチャートである。この発明は、プリント基板からのＥＭＩの放射は、その信号線からのものが支配的と考え、その信号線からの輻射量を算出し、その値がある限度値を超えた場合には対策を講じ、さらにその対策の最適配置を決定することを特徴とするものである。このようにして信号線に起因するＥＭＩを抑えたプリント基板を設計しようとしている。
【０００５】
一方、図２８は特開平１０−９１６６３号公報「プリント基板ＣＡＤ装置」に記載されているＣＡＤ装置の動作概念図である。この発明は、プリント基板ＣＡＤ装置上で、ある配線を指定すると、その配線の信号波形情報をもとにその配線からのＥＭＩの放射量を算出し、場所ごとの放射量の強さを視覚的に表示することを特徴としている。このＣＡＤ装置を用いれば、電磁放射の主たる原因になっている信号配線の場所を特定することができ、対策がしやすくなる。
【０００６】
上記２つの設計支援装置は共に、プリント基板上の信号配線からの電磁放射を抑えることを目的としたものである。このような電磁放射はノーマルモード放射もしくはディファレンシャルモード放射と呼ばれる。しかし、プリント基板からの電磁放射の原因には、これ以外にコモンモード放射があり、実際の製品では、このコモンモード放射の方がノーマルモード放射に比べ支配的な場合が多い。
【０００７】
以下、ノーマルモード放射およびコモンモード放射の発生源である「ノーマルモード電流」と「コモンモード電流」について詳しく説明する。
【０００８】
ＥＭＩの原因となる高周波電流には、「ノーマルモード電流」と「コモンモード電流」とがある。プリント基板上の「ノーマルモード電流」とは、信号配線とそれに対向するグランドプレーンに同量でお互いに逆向きに流れるペア電流のことをいい、ループ電流とも称される。図２９はノーマルモード電流とコモンモード電流について説明するための図であり、図２９の点線で示した電流がノーマルモード電流に相当する。これに対して、「コモンモード電流」は、何らかの原因で信号配線とグランドプレーンを流れる「ノーマルモード電流」のバランスが崩れ、それによって生ずる信号配線電流とグランドプレーン電流の差分電流のことをいう。図２９の実線で示した電流がこれに相当する。「ノーマルモード電流」は信号配線とグランドプレーン間の閉回路を流れる電流であるのに対し、「コモンモード電流」はグランドプレーンや、それにつながるケーブルにも流れる電流である。
【０００９】
「ノーマルモード電流」は同量で逆位相の電流が近接して流れるため、電磁界を互いに打ち消しあい、電流値が小さければそのＥＭＩは小さく問題にならないが、「コモンモード電流」は打ち消しあう逆向きに流れる電流が近くにないため、もとの電流値が小さくても、強い電磁放射を引き起こす。
【００１０】
また、「ノーマルモード電流」は信号配線を流れる電流として容易に把握できるが、「コモンモード電流」はその発生原因がまだ十分には解明されておらず、また、その電流量が「ノーマルモード電流」に比べ極めて少ないため、どこをどのように流れているか把握することは非常に困難である。そのため、「コモンモード電流」を抑えるための有効なプリント基板の設計手法は今までなかった。
【００１１】
例えば、「１９９０年、実践ノイズ逓減技法、ジャックス出版」の３３７ページには、「ノーマルモード（差動モード）放射は、製品の設計とレイアウトで容易に抑制できるが、一方、コモンモード（共通モード）放射は抑制するのが困難であり、通常は製品の放射性能全体がこれで決まる。」と記載されている。
【特許文献１】特開平１０−４９５６８号公報
【特許文献２】特開平１０−９１６６３号公報
【発明の開示】
【発明が解決しようとする課題】
【００１２】
従来例の項で説明した「回路基板設計方法」および「プリント基板ＣＡＤ装置」のような信号配線によるノーマルモード放射を抑えたプリント基板の設計支援装置はあったが、コモンモード放射を抑えたプリント基板の設計支援装置は今まで存在しなかった。
【００１３】
本発明の目的は、コモンモード放射を抑えたプリント基板を設計するための支援装置を提供することにある。
【課題を解決するための手段】
【００１４】
上述の目的を達成するために、本発明のプリント基板の設計支援装置は、情報処理装置を使用したプリント基板の設計支援装置において、プリント基板上に電子部品を仮配置する手段と、仮配置した電子部品間を最短経路の配線で接続する手段と、接続した配線の、グランドプレーンの長辺方向の配線長を最小にするように、仮配置した前記電子部品を再配置する手段とを備えたことを特徴とする。
【００１５】
また、本発明のプリント基板の設計支援装置は、情報処理装置を使用したプリント基板の設計支援装置において、プリント基板上に電子部品を仮配置する手段と、仮配置した電子部品間を最短経路の配線で接続する手段と、接続した配線の、グランドプレーンの長辺方向の配線長が所定の基準値以下となるように、仮配置した前記電子部品を再配置する手段とを備えたことを特徴とする。
【００１６】
また、本発明のプリント基板の設計支援方法は、情報処理装置を使用したプリント基板の設計支援装置におけるプリント基板の設計支援方法において、前記情報処理装置が、プリント基板上に電子部品を仮配置する工程と、前記情報処理装置が、仮配置した電子部品間を最短経路の配線で接続する工程と、前記情報処理装置が、接続した配線の、グランドプレーンの長辺方向の配線長を最小にするように、仮配置した前記電子部品を再配置する工程とを含むことを特徴とする。
【００１７】
また、本発明のプリント基板の設計支援方法は、情報処理装置を使用したプリント基板の設計支援装置におけるプリント基板の設計支援方法において、前記情報処理装置が、プリント基板上に電子部品を仮配置する工程と、前記情報処理装置が、仮配置した電子部品間を最短経路の配線で接続する工程と、前記情報処理装置が、接続した配線の、グランドプレーンの長辺方向の配線長が所定の基準値以下となるように、仮配置した前記電子部品を再配置する工程とを含むことを特徴とする。
【００１８】
また、本発明の記録媒体は、情報処理装置を使用したプリント基板の設計支援装置で使用されるプログラムを記録したコンピュータ読み取り可能な記録媒体において、プリント基板上に電子部品を仮配置する工程のコードと、仮配置した電子部品間を最短経路の配線で接続する工程のコードと、接続した配線の、グランドプレーンの長辺方向の配線長を最小にするように、仮配置した前記電子部品を再配置する工程のコードとを記録したことを特徴とする。
【００１９】
また、本発明の記録媒体は、情報処理装置を使用したプリント基板の設計支援装置で使用されるプログラムを記録したコンピュータ読み取り可能な記録媒体において、プリント基板上に電子部品を仮配置する工程のコードと、仮配置した電子部品間を最短経路の配線で接続する工程のコードと、接続した配線の、グランドプレーンの長辺方向の配線長が所定の基準値以下となるように、仮配置した前記電子部品を再配置する工程のコードとを記録したことを特徴とする。
【００２０】
本発明の作用について説明する。実験およびその検討結果から、プリント基板のコモンモード電流は、プリント基板上の信号配線のノーマルモード電流がもとになり、それに対向するグランドプレーンに流れること、コモンモード電流の流れる向きはノーマルモード電流と同じであること、その方向のグランドプレーンの長さと１／２波長の整数倍の長さが一致するかもしくはそれに近い周波数では、コモンモード電流が多く流れ、コモンモード放射も強くなることが判明した。この結果から、グランドプレーン各辺の長さと、１／２波長の整数倍の長さが近い周波数をプリント基板の設計段階で把握しておけば、コモンモード放射が起こりやすい周波数や、その周波数がＥＭＩの規制対象の周波数範囲に含まれるのかがわかり、コモンモード放射の原因となる高速信号（「信号周波数が高い」の意）の信号配線をプリント基板のどちら方向に引くべきかなどの判断ができる。
【００２１】
また、本発明は、実験およびその検討結果から、グランドプレーンのように幅の広い金属板の場合、厳密には一辺の長さと１／２波長の整数倍の長さとが一致する周波数よりもわずかに低い周波数でグランドプレーンが強く共振することが判明した。また、その値は、一辺の長さと１／２波長の整数倍の長さが一致する周波数に約０．７５をかけた値であった。そこで、一辺の長さと１／２波長の整数倍の長さが一致する周波数（またはそれに近い周波数）に０．７５（またはそれに近い値）をかけた周波数を求めて出力表示するか、あるいは、一辺の長さに１．３（またはそれに近い値）をかけた値が、１／２波長の整数倍の長さと一致する周波数（またはそれに近い周波数）を求めて出力表示することとした。これにより、プリント基板の設計段階でコモンモード放射が起こりやすい周波数や、その周波数がＥＭＩの規制対象の周波数範囲に含まれるかどうかを知ることができ、コモンモード放射の原因となる高速信号の信号配線をプリント基板のどちら方向に引くべきかなどの判断がしやすくなる。
【００２２】
また、本発明は、実験およびその検討結果から、複数の電子部品を配線接続してプリント基板を構成する場合、電子部品と配線の位置関係が同じでもグランドプレーン上に置く位置が変わればＥＭＩの放射レベルが違うこと、配線をグランドプレーンの長辺方向に沿って配置する方が、短辺方向に沿って配置する場合よりもコモンモード放射レベルが高くなることが判明した。そこでこの発明では、電子部品を仮配置し、部品間を最短経路の配線でつないだ後、その配線の、グランドプレーンの長辺方向の配線長を求め、その値が最小になるように、仮配置した電子部品を再配置する。これによって、コモンモード放射を抑えたプリント基板が設計できる。
【００２３】
また、本発明は、上記に記載の発明の中の「仮配置した電子部品を再配置する条件」を、「グランドプレーン長辺方向の配線長を求め、その値がある値以下になるように」としたものである。この値はできるだけ小さい方が良いが、プリント基板の大きさや総配線長によって値を変更できるようにすることで、設計条件が緩和できる。このように条件を緩和しても、上記に記載の発明と同様に、コモンモード放射を抑えたプリント基板が設計できる。
【００２４】
また、本発明は、実験およびその検討結果から、信号配線をグランドプレーンの長辺方向に沿って配置する場合、信号配線をグランドプレーンのエッジ（端側）に配置する方が、グランドプレーンの中央に配置する場合に比べ、プリント基板からのコモンモード放射が大きくなることが判明した。そこで、この発明では、まず、グランドプレーンをその短辺方向にＮ個の領域に区分する。次に、複数の電子部品の端子を指定し、その指定した端子間を接続する配線を、区分けしたグランドプレーンのうちの、内側のＭ個の領域に配置する。これにより、コモンモード放射を抑えたプリント基板が設計できる。
【００２５】
また、本発明は、上記に記載の発明において、グランドプレーンをプリント基板の短辺方向に４個の領域に区分し、信号配線を配置する領域をグランドプレーンの内側の２個の領域としたものである。この値は経験的に得られた値である。これによって、コモンモード放射を抑えたプリント基板が設計できる。
【００２６】
また、本発明は、すでに配置されたある信号配線に対し、そのある割合以上の長さが、グランドプレーンの短辺方向にＮ個に区分けした領域のうちの、内側のＭ個の領域内に配置されているかどうかを調べるものである。また、本発明は、領域の区分数を４個とし、チェックする配置領域をグランドプレーンの内側の２個の領域としたものである。このように、信号配線がエッジに配置されているか否かを調べることにより、コモンモード放射を抑えたプリント基板設計ができているかどうかをチェックすることができる。もし、できていなければ再設計しなければならないことが明確になる。
【００２７】
また、本発明は、すでに配置された信号配線に対し、その配線のある割合以上の長さが、グランドプレーンの短辺方向にＮ個に区分けした領域のうちの、外側のＰ個の領域内に配置されているかどうかを調べるものである。また、本発明は、その領域の区分数を４個とし、チェックする配置領域をグランドプレーンの外側の２個の領域としたものである。なお、上記に記載の発明とはチェックする位置が違うだけで、信号配線に対して同じ特性をチェックしていることになる。このように、配線がエッジに配置されているか否かを調べることにより、コモンモード放射を抑えたプリント基板設計ができているかどうかをチェックすることができ、できていなければ再設計しなければならないことが明確になる。
【発明の効果】
【００２８】
本発明のプリント基板の設計支援装置によれば、基板設計段階で、コモンモード放射が起こりやすい周波数や、その周波数がＥＭＩの規制対象となる周波数範囲に含まれるのかどうかを知ることができ、コモンモード放射の原因となる高速信号の信号配線をプリント基板のどちら方向に引くべきかなどの判断がしやすくなる。また、求める周波数を、グランドプレーン各辺の長さの１．３倍が１／２波長の整数倍の長さに近い周波数、もしくはグランドプレーン各辺の長さが１／２波長の整数倍の長さに近い周波数に０．７５をかけた周波数とすることで、より実際に近い、コモンモード放射を起こす周波数を把握することができる。
【００２９】
本発明のプリント基板の設計支援装置によれば、グランドプレーンの長辺方向の配線長が最小となるか、またはある値以下になるように、仮配置した電子部品を再配置することで、コモンモード放射を抑制したプリント基板を設計できる。
【００３０】
本発明のプリント基板の設計支援装置によれば、端子間を接続する信号配線のグランドプレーンの長辺方向の部分を、Ｎ個の領域に区分けしたグランドプレーンの内側のＭ個の領域に配置することで、コモンモード放射が発生しずらい配線のレイアウトを実現できる。
【００３１】
本発明の設計支援装置によれば、端子間を接続する配線のグランドプレーン長辺方向の部分を、４個の領域に区分けしたグランドプレーンの内側の２個の領域に配置することで、コモンモード放射が発生しずらい配線のレイアウトを実現できる。
【００３２】
本発明の設計支援装置によれば、端子間を接続する配線のグランドプレーンの長辺方向の部分が、ある割合以上、Ｎ個の領域に区分けしたグランドプレーンの内側のＭ個の領域に配置されているかどうかを調べることにより、コモンモード放射が発生しずらくなるように、信号配線が配置されているか否かをチェックすることができる。
【００３３】
本発明の設計支援装置によれば、端子間を接続する配線のグランドプレーンの長辺方向の部分が、ある割合以上、４個の領域に区分けしたグランドプレーンの内側の２個の領域に配置されているかどうかを調べることにより、コモンモード放射が発生しずらくなるように、信号配線が配置されているか否かをチェックすることができる。
【００３４】
本発明の設計支援装置によれば、端子間を接続する配線のグランドプレーンの長辺方向の部分が、ある割合以上、Ｎ個の領域に区分けしたグランドプレーンの外側のＰ個の領域に配置されているかどうかを調べることにより、コモンモード放射が発生しずらくなるように、信号配線が配置されているか否かをチェックすることができる。
【００３５】
本発明の設計支援装置によれば、端子間を接続する配線のグランドプレーンの長辺方向の部分が、ある割合以上、４個の領域に区分けしたグランドプレーンの外側の２個の領域に配置されているかどうかを調べることにより、コモンモード放射が発生しずらくなるように、信号配線が配置されているか否かをチェックすることができる。
【００３６】
本発明のプリント基板の設計支援方法によれば、基板設計段階で、コモンモード放射が起こりやすい周波数や、その周波数がＥＭＩの規制対象となる周波数範囲に含まれるのかどうかを知ることができ、コモンモード放射の原因となる高速信号の信号配線をプリント基板のどちら方向に引くべきかなどの判断がしやすくなる。また、求める周波数を、グランドプレーン各辺の長さの１．３倍が１／２波長の整数倍の長さに近い周波数、もしくはグランドプレーン各辺の長さが１／２波長の整数倍の長さに近い周波数に０．７５をかけた周波数とすることで、より実際に近い、コモンモード放射を起こす周波数を把握することができる。
【００３７】
本発明のプリント基板の設計支援方法によれば、グランドプレーンの長辺方向の配線長が最小となるか、またはある値以下になるように、仮配置した電子部品を再配置することで、コモンモード放射を抑制したプリント基板を設計できる。
【００３８】
本発明のプリント基板の設計支援方法によれば、端子間を接続する信号配線のグランドプレーンの長辺方向の部分を、Ｎ個の領域に区分けしたグランドプレーンの内側のM個の領域に配置することで、コモンモード放射が発生しずらい配線のレイアウトを実現できる。
【００３９】
本発明の設計支援方法によれば、端子間を接続する配線のグランドプレーン長辺方向の部分を、４個の領域に区分けしたグランドプレーンの内側の２個の領域に配置することで、コモンモード放射が発生しずらい配線のレイアウトを実現できる。
【００４０】
本発明のプリント基板の設計支援方法によれば、端子間を接続する配線のグランドプレーンの長辺方向の部分が、ある割合以上、Ｎ個の領域に区分けしたグランドプレーンの内側のＭ個の領域に配置されているかどうかを調べることにより、コモンモード放射が発生しずらくなるように、信号配線が配置されているか否かをチェックすることができる。
【００４１】
本発明のプリント基板の設計支援方法によれば、端子間を接続する配線のグランドプレーンの長辺方向の部分が、ある割合以上、４個の領域に区分けしたグランドプレーンの内側の２個の領域に配置されているかどうかを調べることにより、コモンモード放射が発生しずらくなるように、信号配線が配置されているか否かをチェックすることができる。
【００４２】
本発明のプリント基板の設計支援方法によれば、端子間を接続する配線のグランドプレーンの長辺方向の部分が、ある割合以上、Ｎ個の領域に区分けしたグランドプレーンの外側のＰ個の領域に配置されているかどうかを調べることにより、コモンモード放射が発生しずらくなるように、信号配線が配置されているか否かをチェックすることができる。
【００４３】
本発明のプリント基板の設計支援方法によれば、端子間を接続する配線のグランドプレーンの長辺方向の部分が、ある割合以上、４個の領域に区分けしたグランドプレーンの外側の２個の領域に配置されているかどうかを調べることにより、コモンモード放射が発生しずらくなるように、信号配線が配置されているか否かをチェックすることができる。
【００４４】
本発明の記録媒体によれば、プリント基板のレイアウト情報からプリント基板内のグランドプレーンの各辺の長さを求める工程のコードと、前記各辺の長さと１／２波長の整数倍の長さが略一致する周波数であって、かつ不要電磁放射の規制対象の範囲内にある周波数を求める工程のコードと、前記求めた周波数の値を出力表示する工程のコードとを記録したので、汎用性のあるプリント基板の設計支援装置に適用することにより、プリント基板の設計段階でコモンモード放射が起こりやすい周波数や、その周波数がＥＭＩの規制対象となる周波数範囲に含まれるのかどうかを知ることができ、コモンモード放射の原因となる高速信号の信号配線をプリント基板のどちら方向に引くべきかなどの判断がしやすくなる。
【００４５】
本発明の記録媒体によれば、プリント基板のレイアウト情報からプリント基板内のグランドプレーンの各辺の長さを求める工程のコードと、前記各辺の長さに所定の係数を乗じた値と１／２波長の整数倍の長さが略一致する周波数であるか、または前記各辺の長さと１／２波長の整数倍の長さが略一致する周波数に所定の係数を乗じた周波数であって、かつ不要電磁放射の規制対象の範囲内にある周波数を求める工程のコードと、前記求めた周波数の値を出力表示する工程のコードとを記録したので、汎用性のあるプリント基板の設計支援装置に適用することにより、プリント基板の設計段階で、コモンモード放射が起こりやすい実際に近い周波数や、その周波数がＥＭＩの規制対象の周波数範囲に含まれるのかどうかを知ることができ、コモンモード放射の原因となる高速信号の信号配線をプリント基板のどちら方向に引くべきかなどの判断がしやすくなる。
【００４６】
本発明の記録媒体によれば、プリント基板上に電子部品を仮配置する工程のコードと、仮配置した電子部品間を最短経路の配線で接続する工程のコードと、接続した配線の、グランドプレーンの長辺方向の配線長を最小にするように、仮配置した前記電子部品を再配置する工程のコードとを記録したので、汎用性のあるプリント基板の設計支援装置に適用することにより、グランドプレーンの長辺方向の配線長が最小となるように、仮配置した電子部品を再配置することで、コモンモード放射を抑制したプリント基板を設計できる。
【００４７】
本発明の記録媒体によれば、プリント基板上に電子部品を仮配置する工程のコードと、仮配置した電子部品間を最短経路の配線で接続する工程のコードと、接続した配線の、グランドプレーンの長辺方向の配線長が所定の基準値以下となるように、仮配置した前記電子部品を再配置する工程のコードとを記録したので、汎用性のあるプリント基板の設計支援装置に適用することにより、グランドプレーンの長辺方向の配線長が、所定の値以下になるように、仮配置した電子部品を再配置することで、コモンモード放射を抑制したプリント基板を設計できる。
【００４８】
本発明の記録媒体によれば、プリント基板のグランドプレーンを短辺方向にＮ個の領域に区分する工程のコードと、プリント基板上に配置した複数の電子部品の端子を指定する工程のコードと、前記指定した端子間を接続する配線のグランドプレーンの長辺方向の部分を、Ｎ個の領域に区分したグランドプレーンの内側のＭ個の領域に配置する工程のコードとを記録したので、汎用性のあるプリント基板の設計支援装置に適用することにより、端子間を接続する信号配線のグランドプレーンの長辺方向の部分を、Ｎ個の領域に区分けしたグランドプレーンの内側のＭ個の領域に配置することで、コモンモード放射が発生しずらい配線のレイアウトを実現できる。
【００４９】
本発明の記録媒体によれば、プリント基板のグランドプレーンを短辺方向に４個の領域に区分する工程のコードと、プリント基板上に配置した複数の電子部品の端子を指定する工程のコードと、前記指定した端子間を接続する配線のグランドプレーンの長辺方向の部分を、４個の領域に区分したグランドプレーンの内側の２個の領域に配置する工程のコードとを記録したので、汎用性のあるプリント基板の設計支援装置に適用することにより、端子間を接続する配線のグランドプレーン長辺方向の部分を、４個の領域に区分けしたグランドプレーンの内側の２個の領域に配置することで、コモンモード放射が発生しずらい配線のレイアウトを実現できる。
【００５０】
本発明の記録媒体によれば、プリント基板のグランドプレーンを短辺方向にＮ個の領域に区分する工程のコードと、プリント基板上の電子部品間を接続する配線を指定する工程のコードと、前記指定した配線の、グランドプレーンの長辺方向の部分が、所定の割合以上、区分したグランドプレーンの内側のＭ個の領域にあることを検査する工程のコードと、検査した結果を出力表示する工程のコードとを記録したので、汎用性のあるプリント基板の設計支援装置に適用することにより、端子間を接続する配線のグランドプレーンの長辺方向の部分が、ある割合以上、Ｎ個の領域に区分けしたグランドプレーンの内側のＭ個の領域に配置されているかどうかを調べ、コモンモード放射が発生しずらくなるように、信号配線が配置されているか否かをチェックすることができる。
【００５１】
本発明の記録媒体によれば、プリント基板のグランドプレーンを短辺方向に４個の領域に区分する工程のコードと、プリント基板上の電子部品間を接続する配線を指定する工程のコードと、前記指定した配線の、グランドプレーンの長辺方向の部分が、所定の割合以上、区分したグランドプレーンの内側の２個の領域にあることを検査する工程のコードと、検査した結果を出力表示する工程のコードとを記録したので、汎用性のあるプリント基板の設計支援装置に適用することにより、端子間を接続する配線のグランドプレーンの長辺方向の部分が、ある割合以上、４個の領域に区分けしたグランドプレーンの内側の２個の領域に配置されているかどうかを調べ、コモンモード放射が発生しずらくなるように、信号配線が配置されているか否かをチェックすることができる。
【００５２】
本発明の記録媒体によれば、プリント基板のグランドプレーンを短辺方向にＮ個の領域に区分する工程のコードと、プリント基板上の電子部品間を接続する配線を指定する工程のコードと、前記指定した配線の、グランドプレーンの長辺方向の部分が、所定の割合以上、区分したグランドプレーンの外側のＰ個の領域にあることを検査する工程のコードと、検査した結果を出力表示する工程のコードとを記録したので、汎用性のあるプリント基板の設計支援装置に適用することにより、端子間を接続する配線のグランドプレーンの長辺方向の部分が、ある割合以上、Ｎ個の領域に区分けしたグランドプレーンの外側のＰ個の領域に配置されているかどうかを調べ、コモンモード放射が発生しずらくなるように、信号配線が配置されているか否かをチェックすることができる。
【００５３】
本発明の記録媒体によれば、プリント基板のグランドプレーンを短辺方向に４個の領域に区分する工程のコードと、プリント基板上の電子部品間を接続する配線を指定する工程のコードと、前記指定した配線の、グランドプレーンの長辺方向の部分が、所定の割合以上、区分したグランドプレーンの外側の２個の領域にあることを検査する工程のコードと、検査した結果を出力表示する工程のコードとを記録したので、汎用性のあるプリント基板の設計支援装置に適用することにより、端子間を接続する配線のグランドプレーンの長辺方向の部分が、ある割合以上、４個の領域に区分けしたグランドプレーンの外側の２個の領域に配置されているかどうかを調べ、コモンモード放射が発生しずらくなるように、信号配線が配置されているか否かをチェックすることができる。
【発明を実施するための最良の形態】
【００５４】
本発明は、ワークステーションやパーソナルコンピュータなどの情報処理装置（いわゆるコンピュータシステム）を使用したプリント基板の設計支援装置に、ＥＭＩを抑制するための設計機能を付加して実現される。またその実現手段はソフトウエアによる。したがって、本発明はシステムを構成するハードウエアの種類には限定されず、使用するシステムのハードウエア構成は特には図示していない。
【００５５】
［第１の実施の形態］    
本発明の第１の実施形態について説明する。
【００５６】
この例では、ワークステーションやパーソナルコンピュータなどの情報処理装置を使用したプリント基板の設計支援装置に、プリント基板のレイアウト情報からプリント基板内にあるグランドプレーン（グランド層）の各辺の長さを求める処理部と、１／２波長の整数倍の長さが前記各辺の長さとなる周波数であって、かつ不要電磁放射の規制対象の範囲内にある周波数を求める処理部と、その周波数の値を出力表示する処理部を設けてシステムを構成している。
【００５７】
図１は本発明の第１の実施の形態の動作を説明するためのプリント基板の例を示し、長方形のプリント基板１にＬＳＩ（大規模集積回路）３ａ、３ｂ、３ｃ、３ｄを配置した例である。
【００５８】
本例では、まずプリント基板１のレイアウト情報からグランドプレーン２の情報を取り出し、その情報からグランドプレーン２の各辺の長さを求める。ここでは、長辺がＬ１、短辺がＬ２である。
【００５９】
次に、その長さＬ１、Ｌ２が、１／２波長となる周波数を求める。周波数と波長の関係は、（周波数  Ｈｚ）＝（３×１０Ｅ＋８）／（波長  ｍ）の関係があるので、周波数ｆｒは
【００６０】
【数１】
2006313555.tif 000003
【００６１】
により求まる。ここで、周波数ｆｒ［Ｈｚ］、辺の長さＬ［ｍ］であり、３×１０Ｅ＋８［ｍ／ｓ］は真空中を電磁波が伝搬する速度である。最後に、求めた周波数を設計支援装置の表示部に出力する。
【００６２】
このように、各辺の長さが１／２波長となる周波数を出力表示することによって、プリント基板設計者はコモンモード放射が強くなる周波数を設計の段階で把握することができ、設計しているプリント基板にコモンモード放射を抑える施策が必要か否か判断できる。
【００６３】
ここでは、１／２波長を例に述べたが、１波長、３／２波長など１／２波長の整数倍となる周波数でも共振は起こりうる。したがって、１／２波長だけでなく、その整数倍の周波数がＥＭＩの規制の対象となる周波数の範囲内にあれば、これを出力表示する。
【００６４】
次に、より具体的なプリント基板を例にとり説明する。図９は、第１の実施形態の詳細な動作を説明するためのプリント基板の例であり、この例により、グランドプレーンの長さが１／２波長に近い周波数で、コモンモード放射が強くなることを説明する。
【００６５】
図９に示すプリント基板は、大きさが２１０ｍｍ×１００ｍｍ×１．６ｍｍの４層プリント基板である。層構成は上から信号層、グランド層（グランドプレーン）、電源層（電源プレーン）、信号層である。全回路を第１層の信号層に配置した。４０ＭＨｚの水晶発振器、ＦＰＧＡ（Ｆｉｅｌｄ  ｐｒｏｇｒａｍｍａｂｌｅ  ｇａｔｅ  ａｒｒａｙ）のＬＳＩ、７ｐＦの負荷容量、０．１μＦのデカップリングキャパシタ、初期化回路でプリント基板の回路を構成した。４０ＭＨｚの矩形波信号を水晶発振器からＬＳＩに出力し、２０ＭＨｚの矩形波信号をＬＳＩから１６個ある負荷容量に出力した。初期化回路はＬＳＩの動作モードを決める回路なので、定常状態では、水晶発振器とＬＳＩ間、ＬＳＩと負荷容量間の回路だけが動作するものである。
【００６６】
図１０、１１に本プリント基板の放射電界特性を示す。ＥＭＩ測定の規格に準じ３０ＭＨｚ〜１ＧＨｚの範囲で測定した。床面にも電波吸収体を敷いた電波暗室内にて測定し、プリント基板−アンテナ間隔は３ｍ、プリント基板、アンテナとも高さ１．５ｍとした。プリント基板は床面と平行に配置した。図１０は水平偏波特性、図１１は垂直偏波特性を示している。どちらも５００ＭＨｚ付近にピークをもつ特性であった。また、３００ＭＨｚ〜７００ＭＨｚの範囲で水平偏波の方が放射レベルは高く、それ以外の周波数では水平、垂直で差はほとんどなかった。
【００６７】
水平偏波の方がレベルの高い原因を突き止めるために、放射レベルが最も高かった５２０ＭＨｚの放射パターンを測定した。図１２にその結果を示す。実線が水平偏波、破線が垂直偏波である。水平偏波は９０°と２７０°にピークをもつ８の字パターンとなり、垂直偏波は０°と１８０°にピークをもつ８の字パターンに近い特性であった。この放射パターンは図１３，図１４に示す放射モデルで説明できる。図１３は水晶発振器−ＬＳＩ間の信号配線、もしくはＬＳＩ−負荷容量間の信号配線が微小ループアンテナとして作用するノーマルモード放射モデルである。このモデルでは、ループ面とアンテナ受信面が一致する垂直偏波が主偏波となり、角度φが０°と１８０°でピークをもつ８の字の放射パターンとなる。測定結果の垂直偏波成分がそれに相当する。図１４はグランドプレーンの長辺が半波長ダイポールアンテナとして働くコモンモード放射モデルを示している。このモデルでは、アンテナとして働くグランドプレーンの長さ方向とアンテナ受信面が一致する水平偏波が主偏波となり、角度９０°と２７０°でピークをもつ８の字の放射パターンとなる。測定結果の水平偏波成分がそれに相当する。この結果から、放射レベルが高い水平偏波成分の原因がグランドプレーンからのコモンモード放射であることが予想できる。
【００６８】
この結果の妥当性を検証するために、図１５に示すような電磁解析モデルを用いて放射パターンを計算で求めた。グランドプレーンにコモンモード電流を流した主な原因をＬＳＩと仮定した。ＬＳＩのチップ部分を電圧源、ＬＳＩのリードフレームおよび信号配線を完全導体ワイヤ、負荷容量を１オーム抵抗、グランドプレーンを完全導体プレーンで表現した。これは、図１３のノーマルモード放射モデルと図１４のコモンモード放射モデルを合成した放射モデルである。ＦＤＴＤ（Ｆｉｎｉｔｅ  Ｄｉｆｆｅｒｅｎｃｅ  Ｔｉｍｅ  Ｄｏｍａｉｎ）法による電磁界シミュレータを用いて放射パターンを求めた。図１６が５２０ＭＨｚの計算結果である。縦軸は放射電界特性と比例関係にある絶対利得で表示した。図１２に示した測定結果と傾向がよく一致している。この計算の結果から、図１３、図１４に示した放射モデルの妥当性が確認できると共に、本プリント基板では、グランドプレーンからのコモンモード放射が支配的であることが確認できる。
【００６９】
さらに、放射の原因であるグランドプレーン上のコモンモード電流の特性を調べるために、グランドプレーン近傍の電磁界強度分布を求めた。図１７が電界強度分布、図１８が磁界強度分布である。信号配線がない側のグランドプレーンから１０ｍｍ離れた位置での分布で、電磁界の３方向成分の二乗和をとったものである。電界はグランドプレーンの長辺方向のエッジで強く、中心で弱い。逆に磁界は中心で強く、エッジで弱い。これは、グランドプレーンが半波長ダイポールアンテナとして働いていることを示している。
【００７０】
グランドプレーンプレーンの長辺２１０ｍｍが１／２波長となる周波数は７１４ＭＨｚである。実際に放射レベルが最も高い５２０ＭＨｚと比べると０．７５倍程度小さいが、長辺が約１／２波長となる周波数でグランドプレーンが強く励振され、コモンモード放射を引き起こしていることがわかる。
【００７１】
以上の結果から、グランドプレーンの長さ１／２波長となる周波数付近でプリント基板からのコモンモード放射が強くなることがわかる。したがって、グランドプレーン各辺の長さが１／２波長もしくはその近くとなる周波数を出力表示することで、設計者にコモンモード放射の発生する周波数を知らせることができ、コモンモード放射を考慮したプリント基板設計の支援ができる。
【００７２】
また、１／２波長だけでなく、その整数倍でも共振が起こりえる。したがって、不要電磁放射で問題としている周波数の中で、グランドプレーンの長さが１／２波長の整数倍となる周波数を出力することで、コモンモード放射を抑えたプリント基板が設計できる。
【００７３】
なお、第１の実施形態では、グランドプレーンの長辺が１／２波長となる周波数を出力するとしたが、この例から分かるように、グランドプレーンのような平板の場合には、共振周波数が１／２波長となる周波数よりわずかに低くなる。この実験結果から、一辺の長さの１．３倍が１／２波長となる周波数、もしくはその長さが１／２波長となる周波数に０．７５をかけた周波数の方がより現実に近い。また、１／２波長だけでなく１／２波長の整数倍の周波数でも同じ結果が得られるものと推定できる。
【００７４】
［第２の実施の形態］    
次に、本発明の第２の実施形態について説明する。
【００７５】
この例では、ワークステーションやパーソナルコンピュータなどの情報処理装置を使用したプリント基板の設計支援装置に、プリント基板上に電子部品を仮配置する処理部と、仮配置した電子部品間を最短経路の配線で接続する処理部と、接続した配線の、グランドプレーンの長辺方向部分の配線長が最小となるように、仮配置した電子部品を再配置する処理部を設けてシステムを構成している。
【００７６】
図２は本発明の第２の実施の形態の動作を説明するためのプリント基板の例である。図２は、プリント基板１上に電子部品としてＬＳＩ３ｅ、３ｆを仮配置し、その間を最短経路の信号配線４でつないだ例である。この場合に信号配線４はすべてグランドプレーン２の長辺方向を向いている。次に、この長辺方向を向いている信号配線がすべて短辺方向を向くようにＬＳＩ３ｅ、３ｆを移動する。この変更を行った例を図３に示す。この一連の動作を説明したのが、図４に示すフローチャートである。ＥＭＩの原因となりうる高速信号の信号配線４をグランドプレーンの長辺方向には引かないようにすれば、コモンモード放射を効果的に抑えることができる。
【００７７】
次に、より具体的なプリント基板を例にとり説明する。図１９は、第２の実施形態を詳細に説明するためのプリント基板の例である。図１９に示したプリント基板は、図９に示したプリント基板と回路構成が全く同じであるが、回路全体を、ＬＳＩを中心として時計回りに９０°回転させたものである。水晶発振器−ＬＳＩ間、ＬＳＩ−負荷容量間の信号配線の大部分がグランドプレーン短辺方向を向いている例である。図２０は図９のプリント基板の放射電界特性、図２１は図１９のプリント基板の放射電界特性を示している。先と同様に、床面にも電波吸収体を敷いた電波暗室内で測定した結果である。ただし、（１）プリント基板を床面に平行に配置した場合、（２）プリント基板の長辺を床面に垂直に配置した場合、（３）プリント基板の短辺を床面に垂直に配置した場合についてそれぞれ水平偏波特性、垂直偏波特性を測定し、すべてを重ね合わせた結果である。この結果から、図１９のプリント基板の方が、図９のプリント基板よりも放射レベルが低くなっていることがわかる。
【００７８】
このように図１９のプリント基板の放射レベルが低くなった原因を説明するために、放射レベルが顕著に下がった５２０ＭＨｚの放射パターンを示す。図２２はプリント基板を床面と平行に配置したときの測定結果である。図９のプリント基板とは信号配線の位置が９０°ずれているため、図１２の結果と比較すると、ノーマルモード放射による垂直偏波の８の字特性も９０°ずれている。一方、コモンモード放射による水平偏波は低くなっている。この結果から、信号配線をグランドプレーン短辺方向に配置換えしたことで、コモンモード放射が低くなったことがわかる。先に示した図１７、図１８のグランドプレーン近傍の電界および磁界分布では、信号配線の向きとグランドプレーンの励振方向が一致している。
この結果から予測すると、図１９のプリント基板では、信号配線の大部分が短辺方向に配置されたため、長辺方向はほとんど励振されず、短辺方向を励振しているものと考えられる。しかし、短辺方向の長さ１００ｍｍが１／２波長となる長さは約１．５ＧＨｚであったため、ここで測定した１ＧＨｚ以下の周波数では強く励振されず、強い放射が生じなかったものである。
【００７９】
以上の結果から、本発明を用いてグランドプレーンの長辺方向の配線長が最小になるように部品を再配置することで、コモンモード放射を抑えたプリント基板を設計できることがわかる。
【００８０】
なお、図２、図３に示したプリント基板は非常に簡単な例であり、実際のプリント基板では、部品と配線が複雑に絡み合っている。そのような場合には、グランドプレーンの長辺方向の配線長をある指定した値以下となるように、仮配置した電子部品を再配置するようにすればよい。値としては、全長の何パーセント以下、または、何ｍ、ｃｍ、ｍｍ以下などと指定すればよい。経験的な値としては、２０パーセント以下が妥当な値である。
【００８１】
［第３の実施の形態］    
次に、本発明の第３の実施形態について説明する。
【００８２】
この例では、ワークステーションやパーソナルコンピュータなどの情報処理装置を使用したプリント基板の設計支援装置に、プリント基板のグランドプレーンを短辺方向にＮ個の領域に区分する処理部と、プリント基板上に配置した複数の電子部品の端子を指定する処理部と、その指定した端子間を接続する配線のグランドプレーンの長辺方向の部分を、区分したグランドプレーンの内側のＭ個の領域に配置する処理部を設けてシステムを構成している。
【００８３】
図５、図６に示すプリント基板により、本発明の第３の実施の形態の動作を説明する。この例では、プリント基板１のグランドプレーン２を短辺方向に均等に４つの領域に区分けしている。外側の２つの領域を「Ｂａｄ」領域、内側の２つの領域を「Ｇｏｏｄ」領域としている。また、ＬＳＩ３ｇ、３ｈの端子を指定し、その間を信号配線４で接続している。図５の例はコモンモード放射を考慮せず配線した例であり、図６の例は本発明を適用して配線した例である。先に述べた通り、信号配線４をグランドプレーンの長辺方向に配置すると、コモンモード放射が大きくなる。さらに、詳細は後で述べるが、その信号配線４をグランドプレーンのエッジに配置すると、中央に配置したときよりもコモンモード放射は強くなる。実際問題としてグランドプレーンの長辺方向に全く配線を引かないことはできないので、このような場合には、長辺方向の信号配線をなるべくグランドプレーンの中央に配置することで、コモンモード放射を抑えたプリント基板が設計できる。上記の動作を説明したフローチャートを図７に示す。
【００８４】
以下、基板モデルを例にとり、より詳細に説明する。図２３は、信号配線をグランドプレーンのエッジから１０ｍｍの位置に配置した場合の基板モデルを示している。図２４は、信号配線をグランドプレーン中央に配置した場合の基板モデルを示している。他の条件は図１５に示した基板モデルと同じものである。これらのモデルをもとに求めた放射パターンを図２５、図２６に示す。周波数も先と同じく５２０ＭＨｚである。信号配線がグランドプレーンの中央にある場合には、図２６示すように、コモンモード放射による水平偏波成分は左右対称となる。
しかし、信号配線がエッジにあると、図２５示すように、配線の寄った方向に指向性が鋭くなる。ＥＭＩ測定では、基板をターンテーブルに乗せ、基板を回転させながらその最大放射レベルを測定するため、信号配線をエッジに配置した方が放射レベルは高くなることがわかる。
【００８５】
以上の結果から、信号配線のグランドプレーンの長辺方向の部分をできるだけグランドプレーンの中央に配置するように仕向けることで、コモンモード放射を抑えたプリント基板が設計できる。
【００８６】
なお、図５に示した例では、区分する領域数Ｎを４、配線を引く領域数Ｍを２としており、この値の組み合わせが基本となるが、より効果を出すには区分数Ｎを多くし、Ｍ＝Ｎ−２とすればよい。
【００８７】
［第４の実施の形態］    
次に、本発明の第４の実施形態について説明する。
【００８８】
この例では、ワークステーションやパーソナルコンピュータなどの情報処理装置を使用したプリント基板の設計支援装置に、プリント基板のグランドプレーンを短辺方向にＮ個の領域に区分する処理部と、プリント基板上の電子部品間を接続する配線を指定する処理部と、この指定した配線のグランドプレーンの長辺方向部分が、ある割合以上、区分したグランドプレーンの内側のＭ個の領域にあるかどうかを調べる処理部と、その調べた結果を出力表示する処理部を設けてシステムを構成している。
【００８９】
図５、図８を用いて動作を説明する。まず、プリント基板１のグランドプレーン２を短辺方向に４個の領域に区分する。次に、チェックする信号配線を指定する。ここでは、３本の信号配線４を指定した。次に、指定した信号配線４のグランドプレーンの長辺方向の部分について、グランドプレーンの内側の２個の領域に存在する長さを求め、その長さがグランドプレーンの長辺方向の全長のある割合以下であるかどうかを求め、それが指定した値以下であれば、その配線をエラーとして出力する。この例では、Ｎ＝４、Ｍ＝２とした。この値の組み合わせが基本となるが、より効果を上げるには領域数Ｎを多くし、Ｍ＝Ｎ−２とすればよい。また、判断基準の割合もより効果を上げるためには１００パーセントとすればよいが、８０パーセント程度が妥当な値と考える。この例では、外側の１つの線がエラーとなる。
【００９０】
以上説明したように、本例により、すでに配置した信号配線について、信号配線のグランドプレーンの長辺方向部分がグランドプレーンの中央付近に配置されているか否かを調べることができ、コモンモード放射を抑えたプリント基板の設計ができているかどうかを確認することができる。  
【００９１】
［第５の実施の形態］    
最後に、本発明の第５の実施形態について説明する。
【００９２】
この例では、ワークステーションやパーソナルコンピュータなどの情報処理装置を使用したプリント基板の設計支援装置に、プリント基板のグランドプレーンを短辺方向にＮ個の領域に区分する処理部と、プリント基板上の電子部品間を接続する配線を指定する処理部と、この指定した配線のグランドプレーンの長辺方向部分のある割合以上が区分したグランドプレーンの外側のＰ個の領域にあることを調べる処理部と、その調べた結果を出力表示する処理部を設けてシステムを構成している。本例は、信号配線のグランドプレーンの長辺方向の部分について、その配置を調べるグランドプレーン領域を、内部領域ではなく外側領域としたものである。
【００９３】
例えば、第４の実施の形態で判断基準の割合を８０パーセントとしたものと、本例で判断基準の割合を２０パーセントとしたものは結果的に同一である。したがって、本例により、すでに配置した信号配線について、信号配線のグランドプレーンの長辺方向の部分がグランドプレーンの中央付近に配置されているか否かを調べることができ、コモンモード放射を抑えたプリント基板の設計ができているかどうかを確認することができる。
【００９４】
ところで、以上説明した第１の実施の形態から第５の実施の形態までの、ワークステーションやパーソナルコンピュータなどの情報処理装置を使用したプリント基板の設計支援装置では、コンピュータがその内部に記録されたプログラムコードを読み取り、処理を実行するものである。したがって、上述した実施の形態の機能を実現するプログラムコードを、コンピュータ読み取り可能な記録媒体に記録し、この記録媒体に記録されたプログラムコードをプリント基板の設計支援装置のコンピュータに読み込ませ、実行することによりプリント基板の設計支援処理を行ってもよい。
【００９５】
なお、ここでいう「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９６】
また、上記プログラムコードは、このプログラムコードを記憶装置等に格納したコンピュータシステムから伝送媒体を介して、あるいは、伝送媒体中の伝送波により他のコンピュータシステムに伝送されてもよい。ここで、プログラムコードを伝送する「伝送媒体」は、インターネット等のネットワーク（通信線）や電話回線等の通信回線（通信線）のように情報を伝送する機能を有する媒体のことをいう。
【００９７】
また、上記プログラムコードは、前述した設計支援機能の一部を実現するためのものであってもよい。さらに、前述した機能をコンピュータシステムにすでに記録されているプログラムコードとの組み合わせで実現できるもの、いわゆる差分ファイル（差分プログラムのコード）であってもよい。
【図面の簡単な説明】
【００９８】
【図１】本発明の第１の実施の形態の動作を説明するためのプリント基板の例である。
【図２】本発明の第２の実施の形態の動作を説明するためのプリント基板の例１である。
【図３】本発明の第２の実施の形態の動作を説明するためのプリント基板の例２である。
【図４】本発明の第２の実施の形態の動作を説明するためのフローチャートである。
【図５】本発明の第３、第４、第５の実施の形態の動作を説明するためのプリント基板の例である。
【図６】本発明の第３の実施の形態によるプリント基板の例である。
【図７】本発明の第３の実施の形態の動作を説明するためのフローチャートである。
【図８】本発明の第４の実施の形態の動作を説明するためのフローチャートである。
【図９】本発明の第１の実施の形態の詳細な動作を説明するためのプリント基板の例である。
【図１０】図９に示したプリント基板の水平偏波特性の測定結果である。
【図１１】図９に示したプリント基板の垂直偏波特性の測定結果である。
【図１２】図９に示したプリント基板の放射パターンの測定結果である。
【図１３】図９に示したプリント基板のノーマルモード放射モデルである。
【図１４】図９に示したプリント基板のコモンモード放射モデルである。
【図１５】図９に示したプリント基板の電磁界解析モデルである。
【図１６】図９に示したプリント基板の放射パターンの計算結果である。
【図１７】図９に示したプリント基板の近傍電界強度分布計算結果である。
【図１８】図９に示したプリント基板の近傍磁界強度分布計算結果である。
【図１９】第２の実施形態の詳細な動作を説明するためのプリント基板の例である。
【図２０】図９に示したプリント基板の放射電界特性である。
【図２１】図１９に示したプリント基板の放射電界特性である。
【図２２】図１９に示したプリント基板の放射パターン測定結果である。
【図２３】第３の実施の形態の動作を説明するための基板モデル１である。
【図２４】第３の実施の形態の動作を説明するための基板モデル２である。
【図２５】図２３に示した基板モデルの放射パターン計算結果である。
【図２６】図２４に示した基板モデルの放射パターン計算結果である。
【図２７】従来例のプリント基板のレイアウト方法の概略を示すフローチャートである。
【図２８】従来例のＣＡＤ装置の動作概念図である。
【図２９】ノーマルモード電流とコモンモード電流につて説明するための図である。
【符号の説明】
【００９９】
１  プリント基板
２  グランドプレーン（グランド層）
３ａ、３ｂ、３ｃ、３ｄ、３ｅ、３ｆ、３ｇ、３ｈ  ＬＳＩ
４  信号配線
【図１】
2006313555.tif 000004
【図２】
2006313555.tif 000005
【図３】
2006313555.tif 000006
【図４】
2006313555.tif 000007
【図５】
2006313555.tif 000008
【図６】
2006313555.tif 000009
【図７】
2006313555.tif 000010
【図８】
2006313555.tif 000011
【図９】
2006313555.tif 000012
【図１０】
2006313555.tif 000013
【図１１】
2006313555.tif 000014
【図１２】
2006313555.tif 000015
【図１３】
2006313555.tif 000016
【図１４】
2006313555.tif 000017
【図１５】
2006313555.tif 000018
【図１６】
2006313555.tif 000019
【図１７】
2006313555.tif 000020
【図１８】
2006313555.tif 000021
【図１９】
2006313555.tif 000022
【図２０】
2006313555.tif 000023
【図２１】
2006313555.tif 000024
【図２２】
2006313555.tif 000025
【図２３】
2006313555.tif 000026
【図２４】
2006313555.tif 000027
【図２５】
2006313555.tif 000028
【図２６】
2006313555.tif 000029
【図２７】
2006313555.tif 000030
【図２８】
2006313555.tif 000031
【図２９】
2006313555.tif 000032